(57)【要約】【課題】従来の袋栽培においては、袋が外気に晒されて植物の苗が外気温の影響を受け、成長が阻害される。【解決手段】地中に埋設した容器内の培土に植物を直に又は育苗ポットごと植え、その植物に外部から水、液肥等の液体を供給して植物を栽培する。前記容器内の培土を加温して温度調節する。また、使用後の培土を容器ごと地中から取り出して他の培土入り容器と交換し、新たな容器で植物を栽培する。植物栽培装置として、地中に形成した収容空間内に埋設した容器と、容器内に直に又は育苗ポットごと植えた植物に液体を供給する液体供給装置とを備え、配給ホースを各容器毎又は各育苗ポット毎に配管した。前記収容空間内または容器内に容器内又は育苗ポット内の培土を加温する加温体を備えた。前記容器に排液孔が形成され、排液孔から排出された液体を回収して外部に排出する排水管を収容空間内に配置した。容器の外側又は内側に防根シートを配置した。【選択図】      図１
2004329011.tif 000002
【特許請求の範囲】
【請求項１】
地中に埋設された容器内の培土に植物を直に又は育苗ポットごと植え、その植物に外部から水、液肥等の液体を供給して植物を栽培することを特徴とする植物栽培方法。
【請求項２】
請求項１記載の植物栽培方法において、地中に埋設された容器内の培土を加温して温度調節することを特徴とする植物栽培方法。
【請求項３】
請求項１または請求項２記載の植物栽培方法において、使用後の培土を容器ごと地中から取り出して他の培土入り容器と交換し、交換後の新たな容器内の培土で植物を栽培することを特徴とする植物栽培方法。
【請求項４】
地中に形成された収容空間内に埋設された容器と、容器内に直に又は育苗ポットごと植えられた植物に水、液肥等の液体を供給する液体供給装置とを備え、液体供給装置は配給ホースを備え、配給ホースが各容器毎又は各育苗ポット毎に配管されたことを特徴とする植物栽培装置。
【請求項５】
請求項４記載の植物栽培装置において、収容空間内または容器内に容器内又は育苗ポット内の培土を加温する加温体を備えたことを特徴とする植物栽培装置。
【請求項６】
請求項４又は請求項５記載の植物栽培装置において、容器に排液孔が形成され、排液孔から排出された液体を回収して外部に排出する排水管が収容空間内に配置されたことを特徴とする植物栽培装置。
【請求項７】
請求項４乃至請求項６のいずれかに記載の植物栽培装置において、容器の外側又は内側に防根シートが配置されたことを特徴とする植物栽培装置。
【発明の詳細な説明】
【０００１】
【発明の属する技術分野】
本発明は植物栽培方法とそれに使用される栽培装置に関するものである。
【０００２】
【従来の技術】
野菜、果物などの植物は通常は畑に植えて栽培されている。近年は樹脂製の袋内に培土を入れ、その培土入りの袋を畑に並べて、その培土に植物を植えて栽培することも行なわれている。
【０００３】
【発明が解決しようとする課題】
前記した、畑で栽培する方法では、同じ土地で長年栽培を繰り返すと連作障害が発生するという課題がある。従来は、連作障害の抑制、防止のために農薬を使用することが行なわれているが、長年、農薬を使い続けると薬害が発生してしまうという不都合がある。
【０００４】
前記した、袋を使用する栽培方法では、培土を袋ごと交換することにより連作障害を阻止することができるが、その栽培方法では袋を地上に設置するため、袋が外気に晒されて外気温の影響を受け易く、温度管理が難しく、植物の成長に好適な栽培環境が得られにくいという課題がある。
【０００５】
【課題を解決するための手段】
本発明の目的は、連作障害が発生することなく、温度、湿度等の管理もし易く、植物の成長に適した栽培環境を作り易い植物栽培方法とそれに使用される植物栽培装置を提供することにある。
【０００６】
本件出願の植物栽培方法は、地中に埋設された容器内の培土に植物を直にまたは育苗ポットごと植え、その植物に外部から水、液肥等の液体を供給して植物を栽培する方法である。この場合、地中に埋設された容器内の培土及び／又は育苗ポット内の培土を加温して温度調節することもできる。使用後の培土を容器ごと地中から取り出して他の培土入り容器と交換し、交換後の新たな容器内の培土で植物を栽培することもできる。
【０００７】
本件出願の植物栽培装置は、地中の収容空間内に埋設された容器と、容器内に直にまたは育苗ポットごと植えられた植物に水、液肥等の液体を供給する液体供給装置を備え、液体供給装置は配給ホースを備え、配給ホースが各容器毎または各ポット毎に配管されたものである。収容空間内または容器内に加温体を設けて、容器内または／及び育苗ポット内の培土を加温して温度調節できるようにしてある。容器にその内部の液体を排出する排液孔を形成し、収容空間内に容器の排液孔から排出された液体を回収して外部に排出する排水管を敷設してある。容器の外側又は内側に防根シートが配置したものである。
【０００８】
【発明の実施の形態】
（植物栽培方法の実施形態１）
本発明の植物栽培方法の実施形態の一例を図１、図２を参照して説明する。この植物栽培方法は例えば図１、図２に示すように、畑に形成された穴、溝などの収容空間１内に多数の容器２を一列に並べて埋設し、その容器２内の培地３に植物４を植え、その植物４に液体供給装置の配給ホース５の先端部１５より、水、液肥等の液体を供給して植物４を栽培する方法である。この場合、液体を容器２内の培土３に供給して、容器２内の培土３を図２のように収容空間１内に埋設された電熱ヒータとか給湯パイプなどの加温体６により加温して、培土３の温度を調節するのが良い。容器２の底或いはその近くには容器２内の液体を容器２の外に排出する排液孔９を形成し、収容空間１内に排水管１０を敷設し、その排水管１０により容器２の排液孔９から排出された液体を回収できるようにしてある。また、収容空間１の周辺の地表面を、例えば黒色のマルチフィルムで被覆して、収容空間１の周辺の地中温度を昇温、保温させることもできる。そのフィルムの全部又は一部を剥がしたり、被せたりすることにより地中温度を調節することもできる。
【０００９】
図１、図２では説明の便宜上、容器２は一列しか図示されていないが、実際は収容空間１が横に並んで多数本形成されており、それら収容空間１内に埋設されている。この場合、隣接する収容空間１の間には作業者が通行できる幅だけ空間を設けてあり、その空間を作業者の通行可能な通路としてある。
【００１０】
（植物栽培方法の実施形態２）
図１、２に示す植物栽培方法では容器２内の培土３に植物４を直に植えてあるが、本発明では図３に示すように育苗ポット８に育苗された植物４を、育苗ポット８ごと容器２内の培土３に植えることもできる。この場合は配給ホース５により液体を育苗ポット８の培土３に供給して植物４を栽培する。また、実施形態１の場合と同様に、収容空間１内に埋設された電熱ヒータとか給湯パイプなどの加温体６（図２）により容器２内の培土３を加温して培土３の温度を調節したり、排水管１０により容器２の排液孔９から排出された液体を回収できるようにしてある。図３の場合も、容器２は収容空間１内に横一列に多数並べられ、横にも多数列、配列されている。
【００１１】
（植物栽培装置の実施形態１）
本発明の植物栽培装置の実施例を図１、図２を参照して説明する。この植物栽培装置は地中に形成された収容空間１内に埋設された容器２と、図２のように容器２内の培土３に直に植えられた植物４に水、液肥等の液体を供給する液体供給装置を備え、液体供給装置は配給ホース５を備え、配給ホース５が各容器２毎に配管されたものである。
【００１２】
図示した収容空間１は地中に掘削された溝である。この溝は農業用ハウス内とか、屋外の畑とか、その他の箇所に掘削されており、多数の容器２を一列に並べて収容することができる長さ（例えば数十ｍ）にしてある。図２の収容空間１の深さＤや幅Ｗ等は収容する容器２の高さ、幅等のサイズよりも少し大きめにして、その内部に容器２を収容できるようにしておく。
【００１３】
図１、２では収容空間１の底に排水管１０を敷設し、その上に加温体６を敷設し、その上に容器２を載せてある。本実施形態の場合、容器２を樹脂製の袋としてあるため、図２のように容器２の底が加温体６に被さっている。
【００１４】
前記排水管１０は容器２の排出孔９から排出される液体を回収して収容空間１の外部に排出するためのものである。排水管１０には硬質樹脂製のものが適するがそれに限られない。排水管１０の太さも排出に適するように任意に選択する。排水管１０の上部には回収口１２が開口されている。この回収口１２は容器２の排出孔９から排出される液体を回収するためのものであり、排水管１０の頂面よりやや側面下部に２本平行に開口されている。排水管１０は各収容空間１内に配管されており、それら排水管１０内を流れてきた排水は夫々の排水管１０の終端出口から流出されるようにしてもよいが、各排水管１０の終端出口を連結して夫々の配水管１０内を流れてきた排水をまとめて回収して外部に流出できるようにすることもできる。
【００１５】
前記加温体６は容器２内の培土を加温するためのものであり、容器２が配列された列毎の収容空間１内に敷設されている。加温体６には加熱用ヒータとか給湯用パイプ等が使用される。加熱用ヒータが使用された場合は、それに通電して培土３を加温し、給湯用パイプが使用された場合はそれに湯を流して容器２内の培土３を加温する。加温体６に給湯用パイプを使用した場合、湯温は季節や外気温により調節して、容器２内の培土３を加温するのに適する温度に調節する。給湯用パイプには耐熱樹脂製の硬質パイプとか、金属性のパイプなどを使用することができる。給湯用パイプ内に供給する湯（温水）の温度は供給側で２５℃〜３０℃、終端側では１６℃〜１７℃となる程度とすることができるが、これに限られるものではない。各列の収容空間１内に配管された給湯パイプは供給端部同士を連結して、一箇所から供給された湯が連結された全ての給湯パイプに供給されるようにし、終端部同士を連結して各給湯パイプを流れてきた湯をまとめて回収して温水タンクに戻して、タンク−配給管−給湯パイプ−タンクの温水循環経路が形成されるようにしてある。また、加温体６は地中温度をセンサで検知し、そのデータに基づいて、自動的に加温温度が昇降して地中温度を自動調節できるようにしてある。
【００１６】
図示した容器２は樹脂製の袋であるが、容器２は他の形状、材質、構造のものであってもよく、例えば、耐水性のある紙製の袋とか、樹脂製のプランター等とすることもできる。容器２のサイズは植える植物４の種類により異なる。例えば、トマトを２〜３本程度栽培する場合は、横幅６０ｃｍ、高さ４０ｃｍ程度（容量２０リットル程度）の横長の樹脂製の袋が適するがこのサイズに限定されず、植える植物４の種類や本数等によって選択することができる。容器２の底又はその近辺には容器２内の液体を排出する排液孔９が複数個開口されて、その孔から余分な水や液肥等が排出されるようにしてある。
【００１７】
容器２の内部には図１、図２に示すように培土３が充填されている。培土３には植物４の栽培に適した土や土の代わりになる各種のものを培土として使用することができる。収容空間１に埋設された袋は、上面が開口されて開口部１４が形成されている。この容器（袋）２は収容空間１内に収容されて周壁が地中に埋設されているが、開口部１４は開口したままとなっている。
【００１８】
収容空間１と容器２の間には図１、図２に示すように防根シート１３が配置されている。防根シート１３は通水性や通気性はあるが、植物の根は通過できないシートである。防根シート１３は収容空間１内へ容器２を収容する前に予め収容空間１内に配置しておき、それから収容空間１内へ容器２を収容すれば、収容空間１と容器（袋）２の間に配置される。この場合、防根シート１３は１本の収容空間１内へ連続して配置して、収容空間１内へ一列に収容配置される複数個の容器２の外周をその防根シート１３によって被覆するようにしたり、収容空間１内の個々の容器２の外側に配置したりすることが出来る。防根シート１３は予め容器２の外周面に貼り付けておいて、収容空間１内へ容器２を収容するだけで自動的に収容空間１と容器２の間に配置されるようにすることも出来る。また、防根シート１３は容器（袋）２を製造するときに容器２の内面に貼り付けておくこともできる。
【００１９】
前記液体供給装置は容器２内に水、液体肥料などの液体を供給するためのものである。液体供給装置は液体タンクと、液体タンクからポンプにより送り出される図１の配液管１１と、配液管１１から図１のように分岐された配給ホース５を備えている。配液管１１は地中に埋設されている容器２に沿って配管されており、配給ホース５は各容器２毎に分岐されて、図１に示すように個々の容器２に植物４が２本づつ植えられており、夫々の植物４毎に配給ホース５を配管して、各植物４に個別に給液することができるようにしてある。配給ホース５は個々の容器２に１本ずつ配置したり、植物４の本数より多く配管したりすることもできる。配給ホース５には樹脂製のチューブ、金属パイプ等、適宜のものを使用することが出来るが、先端部１５は液体を点滴状にして送り出すことのできる針状にしてあり、その先端部１５を容器２内の培土３に差し込んで、配液管１１から送られる液体を点滴状に培土３中に供給できるようにしてある。配給ホース５の先端部１５の差込位置は容器２内の培土３内であれば任意であるが、培土３に植えてある植物４の根元付近に差し込むと植物４の成長に効果的であって望ましい。配給ホース５の先端部１５は培土３に差し込まなくともよく、培土３の近くから滴下させたり、噴霧したり、散布したりしてもよい。また、配給ホース５の根元側は配液管１１中に差し込んで配液管１１に固定してある。液体供給装置は容器２内の培土３や育苗ポット８内の培土３の湿度を湿度センサで検知し、そのデータに基づいて、自動的に液体供給を開始、停止して、培土の湿度を自動調節できるようにしてある。
【００２０】
容器２が埋設された収容空間１の周辺の地表面はシートやフィルム等の被覆材により被覆して地中温度を保温、昇温させることができる。保温、昇温のためにはフィルムに黒色のマルチフィルムを使用するのが適する。この場合、容器２の横から通路までの地表面全面を被覆してもよく、通路は被覆せずに容器２の横（周囲）だけを被覆することもできる。被覆材は被覆したままにしておいてもよいが、必要であれば、温度の高い季節や時間帯には、部分的に捲ったりして地中温度が必要以上に上がらないように温度調節することもできる。
【００２１】
（植物栽培装置の実施形態２）
前記実施形態１においては、図１、２に示すように植物を容器２内の培土に直に植えてあるが、本実施形態は図３に示すように、容器２内の培土に育苗ポット８ごと植えたものであり、配給ホース５の先端部１５を各育苗ポット８内の培土３に差し込んで配管し、その先端部１５から液体を点滴状に培土３に供給するようにしてある。この場合、配給ホース５の先端部１５を育苗ポット８内の培土３の近くに配置し、その先端部１５から液体を培土３に噴霧したり、散布したりすることもできる。また、容器２内の培土３にも液体を供給するようにしてもよく、容器２内の培土３と育苗ポット８内の培土との両方に供給するようにしてもよい。
【００２２】
育苗ポット８には種々の形状、材質のものがあるが、例えば、苗を植えて市販されているような黒色の樹脂製のもの（市販されている花や木の苗が植えられているもの）とか、硬質樹脂製のもの等が適する。図３のように育苗ポット８ごと植えた場合は、容器２内の培土３が加温体６により加温されると育苗ポット８内の培土３も加温される。
【００２３】
（植物栽培装置の実施形態３）
図１〜図３の収容空間１は溝であるが、収容空間は縦穴とすることも出来る。この場合、縦穴のサイズは容器を１個ずつ個別に収容可能な大きさとしたり、容器を数個ずつ並べて収容可能な横長の穴としたりすることができる。縦穴の場合は、図２に示す加温体６や排水管１０は縦穴を貫通して形成するとか、縦穴の横に敷設するなどして、多くの縦穴内に収容埋設された容器内の培土を効率よく加温でき、確実に排水できるようにする。
【００２４】
また、前記実施形態１においては、容器２内の培土３に植えられた植物４に水、液肥等の液体を供給するために配液管１１及び供給ホース５を用いたが、液体を植物４に供給できる装置であれば液体供給装置の構成はこれに限られるものではない。例えば、ポンプから植物に直接、液体を供給できるように配管したり、容器の真上に液体を送るパイプを架設し、そのパイプに孔をあけて、その孔から霧状、点滴状といった各種状態で下方の容器内の培土に水、液肥等を供給することも可能である。
【００２５】
【発明の効果】
本件出願の請求項１〜請求項３記載の植物栽培方法は、地中に埋設された培土入りの袋内の培土に植物の苗を植えて栽培するので、次のような効果がある。
（１）容器の外周面が収容空間の土壌で被覆されるので、容器内の温度が外気温の影響を受けにくくなり、容器内の温度管理が容易になり、植物の栽培に適した温度環境を作り出すことができる。また、容器が傾斜したり、倒れたりすることも無く、安定する。
（２）植物を栽培することにより、容器内の培土がやせたり、培土に病害虫が入り込んだり、連作障害がおきそうになったら、容器を地中から取り出して他の容器と交換すれば、使用済みの古い培土を新しい培土と手軽に交換することが出来、植物を病害虫や連作障害から回避することができる。
（３）連作障害を抑制したり、防止したりするために農薬を使用する必要がないため、農薬による土壌のいたみも生じない。
（４）いずれかの容器内の植物に障害が発生しそうになったり、発生した場合には、その容器を交換するだけでその植物を元気な植物と交換することが出来るため、植え替えも容易である。
（５）植物を容器ごと交換して植え替えが出来るので、植物を植え替えても植物の根が切れたり傷んだりすることが無く、植物に負担がかからず、植物の成長が阻害されない。
【００２６】
本件出願の請求項２記載の植物栽培方法は、容器内の培土を加温して温度調節するので、より一層、栽培に適した栽培環境を作ることができ、植物の順調な成長と収穫量の増加をもたらすことが出来る。
【００２７】
本件出願の請求項３記載の植物栽培方法は、使用後の培度を容器ごと地中から取り出して他の培土入り容器と交換し、交換後の新たな容器内の培土で植物を栽培するので、前記効果の他に次のような効果もある。
（１）連作障害や病害虫から確実に回避でき、植物の生育、成長が良好になり、品質の良好な植物や果実の収穫と増収が可能となる。
（２）交換した古い培土は、他の場所へ移動して、使用前の状態に回復させることができる。
【００２８】
本件出願の請求項４〜請求項７記載の植物栽培装置は、地中に形成された収容空間内に埋設された容器と、容器内に直に又は育苗ポットごと植えられた植物に水、液肥等の液体を供給する液体供給装置とを備え、液体供給装置は配給ホースを備え、配給ホースが各容器毎又は各育苗ポット毎に配管されているので、次のような効果がある。
（１）容器が地中に埋設されて、容器の外周面が収容空間の土壌で被覆されているので、容器内の温度が外気温の影響を受けにくくなり、容器内の温度管理が容易になり、植物の栽培に適した温度環境を作り出すことができる。また、容器が傾斜したり、倒れたりすることも無く、安定する。
（２）液体供給装置を設けたので、必要に応じて容器内の培土に水、液肥等の液体を供給することができ、植物の生育、成長に適した栽培環境を作り出すことができる。
（３）液体供給装置が各容器毎又は各育苗ポット毎に配管されているので、個々の容器又は育苗ポット毎の水分管理ができ、個々の容器又は各育苗ポットの植物の生育、成長に適した水分や液肥の管理ができる。
【００２９】
本件出願の請求項５記載の植物栽培装置は、収容空間内または容器内に容器内又は育苗ポット内の培土を加温する加温体を備えたので、上記の効果に加えて、加温体を作動、停止させることにより前記培土の温度を、植物の育成、成長に適するように調節することができる、という効果もある。
【００３０】
本件出願の請求項６記載の植物栽培装置は、容器に排液孔が形成され、排液孔から排出された液体を回収して外部に排出する排水管が収容空間内に配置されたので、上記効果に加えて、容器内、収容空間内の排水が確実になり、水分過多になって根腐れしたり、水分過多が原因で培土に病原菌が発生することもない、という効果もある。
【００３１】
本件出願の請求項７記載の植物栽培装置は、容器の外側又は内側に防根シートが配置されているので、上記効果に加えて次のような効果もある。
（１）容器内の植物の根が容器の外に張りだすことがないため、植物栽培中の容器を収容空間から取り出して移動しても、植物の根が損傷したり、切断したりすることが無く、植物の生育、成長が阻害されない。
（２）容器内の植物の根に病原菌が付着していても、その根は容器の外に張り出さないので、病原菌が容器の外の土壌に伝染することが無い。
【図面の簡単な説明】
【図１】本発明の植物栽培装置の実施形態の一例を示す斜視図。
【図２】図１に示す植物栽培装置の側面断面図。
【図３】図１に示す植物栽培装置の正面断面説明図。
【符号の説明】
１  収容空間
２  容器
３  培土
４  植物
５  配給ホース
６  加温体
８  育苗ポット
９  排水孔
１０  排水管
１１  配液管
１３  防根シート
【図１】
2004329011.tif 000003
【図２】
2004329011.tif 000004
【図３】
2004329011.tif 000005